(57)【特許請求の範囲】
【請求項１】
パチンコ球を入賞領域に導く球入口と、前記球入口を塞ぐように配置された可動部材と、前記可動部材を駆動する電気的駆動源と、を備えた変動入賞装置であって、
前記可動部材は、パチンコ球が貫通可能な球通路を有すると共に、該球通路の下端部が前記球入口に臨む方向へ屈曲するように軸支されており、前記電気的駆動源を駆動して可動部材を屈曲させることにより前記球通路に受け入れられたパチンコ球が前記球入口から入賞領域へと導かれるようにしたことを特徴とする変動入賞装置。
【請求項２】
前記可動部材の球通路は、弾性線材を螺旋状に巻回して形成されていることを特徴とする請求項１記載の変動入賞装置。
【発明の詳細な説明】
【０００１】
【発明の属する技術分野】
本発明は、パチンコ球を入賞領域に受入れる球入口と、前記球入口を開閉する可動部材とを備え、所定の遊技条件により前記可動部材が可動する変動入賞装置に関するものである。
【０００２】
【従来の技術】
従来の変動入賞装置は、所定条件によって電気的駆動源を駆動して可動部材を可動させることにより球入口を開閉し、パチンコ球を受入れない第一状態とパチンコ球を受入れる第二状態とに変化可能としている。また、前記変動入賞装置は、前記球入口を遊技盤面と直交する面内で可動する可動部材により開閉する所謂「アタッカー」タイプと、球入口を遊技盤面と平行な面内で可動する可動部材により開閉する所謂「羽根もの」タイプとがある。
【０００３】
そして、前記変動入賞装置として、例えば「アタッカー」は図１９に示すように入賞領域１００に受入れる球入口１０１を可動部材１０２により閉塞し、該可動部材１０２は下方を軸支１０３してソレノイド１０４の駆動により図１９（ロ）に示すように可動部材１０２の上端を球入口１０１より外方に向って傾動することによって前記球入口１０１を開放して遊技盤１０５面を流下するパチンコ球を可動部材１０２で捕捉して球入口１０２から入賞領域１００に導くようにしている。そして、所定個数のパチンコ球が検出スイッチ１０６で検出されることによりソレノイド１０４を消磁して球入口１０１を閉塞するようにしている。
【０００４】
【発明が解決しようとする課題】
ところで、上記変動入賞装置は前記可動部材１０２が図１９（ロ）矢印に示す復動時に入賞領域１００に受入れるように内方に傾動するため、所定個数のパチンコ球を検出スイッチ１０６で検出後も前記可動部材１０２で受けられたパチンコ球は可動部材１０２の復動と共に入賞領域１００に導かれ入賞球となる。このため、所定の賞球数より多くの賞球が払出されることになりホールとして損失となっていた。これは図示しない「羽根もの」にもいえることである。
【０００５】
また、可動部材１０２が球入口１０１を閉塞する際に、図１９（ロ）鎖線に示すように球入口１０１の開口端と可動部材１０２の上部先端とで遊技盤１０５面を流下するパチンコ球を挟んでしまい、ソレノイド１０４に負荷がかかり該ソレノイド１０４が損耗してしまう恐れがあった。特に、図１９（イ）鎖線に示すように可動部材１０２が遊技盤１０５面と直交する前後方向に可動する「アタッカー」タイプは、球入口１０１を開放する際にも可動部材１０２の上部先端とガラス板１０７とで遊技盤１０５面を流下するパチンコ球を挟んで球噛みしてしまい、球入口１０１が完全に開放せずパチンコ球が入賞することなく閉塞してしまうという問題がある。
【０００６】
そこで、本発明は上記課題を解決すべくしてなされたもので、その目的は可動部材の開閉動作時に球噛みすることなく、正確に球入口から入賞させることができる変動入賞装置を提供することにある。
【０００７】
【課題を解決するための手段】
かかる目的を達成するため、請求項１記載の発明は、パチンコ球を入賞領域に受入れる球入口と、前記球入口を開閉する可動部材と、前記可動部材を駆動する電気的駆動源とを備えた変動入賞装置であって、前記可動部材の外側部分にパチンコ球が貫通し得る球通路を形成すると共に、前記球通路の下端が前記球入口から内方に入り得るように回動自在に軸支し、前記電気的駆動源を駆動して可動部材を回動させることにより前記球通路を貫通したパチンコ球が前記球入口から入賞領域に導かれるようにしたことを特徴とする。そして、前記可動部材の開閉動作により前記球入口を閉塞して全くパチンコ球を受入れないか若しくは受入れ難い第一状態および前記球入口を開放してパチンコ球を受入れ易い第二状態とに変化可能とし、少なくとも第二状態において球通路をパチンコ球が貫通するようにした。なお、本発明における「貫通」とは可動部材の内部をパチンコ球がガイドされ流下し得る状態を示し、球通路の断面形状は断面ロ字型は当然のことながら少なくとも可動部材の回動方向の側壁を有した断面コ字型および一部が断面Ｌ字型をも含むものである。
【０００８】
請求項２記載の発明は、請求項１記載の発明において、前記入賞領域に前記球入口から入賞したパチンコ球を計数する球計数センサを設け、前記球計数センサが所定個数のパチンコ球を検知したことを条件に前記電気的駆動源を駆動して前記球入口を閉塞するようにし、所定個数以上の入賞球の発生をなくすようにした。
【０００９】
また、本発明の変動入賞装置は、パチンコ球を入賞領域に受入れる球入口と、前記球入口を開閉する可動部材と、前記可動部材を駆動する電気的駆動源とを備え、前記可動部材にパチンコ球が流下し得る球通路を形成し、前記球通路が前記球入口の外側に位置すると共に下端が前記球入口から内方に入り得るように回動自在に軸支し、前記電気的駆動源を駆動して可動部材を回動させることにより前記球通路を貫通したパチンコ球が前記球入口から入賞領域に導かれるようにした。
【００１０】
前記球通路は、球入口から内方に入り得る流出口部に少なくとも可動部材の回動方向の側壁を有すればよく、前記回動方向の側壁によりガイドされて球通路を流下するパチンコ球を入賞領域に導いたり、球通路を流下して入賞しようとするパチンコ球を入賞させることなく遊技盤面に放出したりする。
【００１１】
前記電気的駆動源はソレノイドまたはモータ等であり、所定条件により駆動して前記可動部材を可動するようにした。
【００１２】
また、前記球通路は少なくともパチンコ球１個が流下可能となるように中空貫通して形成すればよく、好ましくは少なくともパチンコ球が流入する流入口を複数のパチンコ球が流入可能な幅広として球通路に流入しやすくするのがよい。当然のことではあるが球通路全体を幅広としてもよい。
【００１３】
前記球通路の内部にパチンコ球の流下を規制または変化させる障害部材を設けるのが好ましく、前記球通路を流下するパチンコ球の流下方向を変化させることができる。前記障害部材は、例えば風車のように可動するものであっても固定的に設けられるガイド部材であってもよい。また、前記障害部材によりパチンコ球を入賞領域に形成した特別入賞口または一般入賞口に振分ける振分け手段とすることができる。
【００１４】
前記可動部材は、少なくとも球通路を視認可能とするのが好ましく、球通路の前面側を透光性樹脂等により形成して球通路を通過するパチンコ球が視認できるようにするのがよい。
【００１５】
前記球通路は屈曲自在としてもよく、例えば弾性線材を螺旋状に巻いたもので形成するようにしてもよい。
【００１６】
前記可動部材が球入口を閉鎖している常態時にも、前記球通路に遊技盤面を流下するパチンコ球が流入するようにするのが好ましい。また、前記可動部材の下方に位置してパチンコ球が不規則に遊動する転動部を設け、前記球通路を貫通したパチンコ球が前記転動部に流出するようにして可動部材を誘導樋の役割をするようにするのがよい。さらに、球入口の閉鎖時に前記球通路を貫通したパチンコ球が特定の入賞口に導かれるようにするのが好ましい。
【００１７】
前記変動入賞装置に種々の数字，文字，図柄等の表示記号を変動表示し得る可変表示装置を設けるのが好ましく、一体に設けることで遊技盤面を有効に使用することができる。また、前記可変表示装置の表示を変動させる始動入賞口を前記球通路の流出口の下方に位置して設け、前記球通路を貫通したパチンコ球が前記入賞口に向って放出して該入賞口に入賞しやすくするのがよい。
【００１８】
前記変動入賞装置は、可動部材を遊技盤面と平行な面内で可動し、遊技盤面を流下するパチンコ球を捕捉して前記球入口に導くようにした所謂「羽根物」である。
【００１９】
前記変動入賞装置は、前記可動部材を遊技盤面と直交する面内で可動し、遊技盤面を流下するパチンコ球を捕捉して前記球入口に導くようにした所謂「アタッカー」である。
【００２０】
【発明の実施の形態】
以下に本発明に係る変動入賞装置の実施の形態を図面と共に説明する。図１は本発明の変動入賞装置を備えたパチンコ遊技機の正面図であり、図において、１はパチンコ遊技機の機枠、２は前記機枠１の前面に開閉自在に装着される前面枠で、前記前面枠２には取付枠を介して遊技盤３が着脱自在に装着されている。前記前面枠２の前面に前記遊技盤３が視認可能なガラス板等を備えたガラス扉枠４と打球供給皿５を装着した前面板６とがそれぞれ開閉自在に蝶着されている。また、打球供給皿５の下方には該打球供給皿５の余剰球を貯留する余剰球受皿７が設けられ、その側方に打球発射用の操作ハンドル８が配設されている。
【００２１】
前記遊技盤３の前面にはガイドレール１０が敷設され、該ガイドレール１０によりほぼ円形の遊技領域３ａが形成されている。前記遊技領域３ａの略中央に可変表示装置２７が設けられ、該可変表示装置２７の直下に可動片１５ｂ、１５ｂを備えたチューリップ型の始動入賞口１５が設けられている。そして、その下方に本発明に係る変動入賞装置１１が配設されている。また、遊技領域３ａには通過チャッカー１３，一般入賞口１４等の入賞口や打球の流下方向を変える風車１６および障害釘１７を配設すると共に、前記ガイドレール１０の内側下端部にアウト口１９を設けている。前記始動入賞口１５は前記可変表示装置２７の図柄を変動させる入賞口であり、電気的駆動源（図示せず）により可動片１５ｂ、１５ｂを開閉し、内部には入賞球を検出する入賞球検出器１５ａが設けられている公知的な入賞口である。
【００２２】
前記可変表示装置２７は、遊技盤３の表面に取付ける取付基板２０を有し、該取付基板２０の前面側に飾り部材２１を突出して設け、前記取付基板２０に窓孔２５を形成し保護板２６を介して種々の数字，文字，図柄等の表示記号を変動表示し得る液晶ディスプレイ型の表示部２７ａが視認可能としている。さらに、前記飾り部材２１には普通図柄表示部４２が設けられ、前記通過チャッカー１３の通過信号により普通図柄表示部４２の図柄が変動し、該図柄が例えば「７」等の所定図柄の表示となることにより前記始動入賞口１５の可動片１５ｂ、１５ｂが所定時間または所定回数開閉動作を行う。また、前記普通図柄表示部４２の両側には前記始動入賞口１５の入賞記憶表示部４３が設けられ、可変表示装置２７の表示部２７ａの変動中に始動入賞口１５に入賞した球数を記憶表示し、表示部２７ａの変動と共に減算表示する。この実施の形態において入賞記憶表示部４３はＬＥＤ等の点灯により最高４個まで球数を記憶表示するようにしている。
【００２３】
前記変動入賞装置１１は所謂「アタッカー」であり、図２乃至図５に示すようにこの変動入賞装置１１は遊技盤３の表面に取付ける取付基板６５に球入口として複数のパチンコ球が入球可能な横長の開口５５が形成されている。そして、前記開口５５の後面に箱枠５７を設け、該箱枠５７の内部凹室２４を入賞領域として該凹室２４の底部を緩やかな山型として、その下流端に特別入賞口３５と一般入賞口３６とが形成され、それぞれに入賞球を検知する近接スイッチタイプの入賞球検出器３５ａ，３６ａが設けられている。前記入賞球検出器３５ａ，３６ａは入賞したパチンコ球を計数する球計数センサの役割もなす。なお、前記入賞球検出器３５ａ，３６ａは発光部と受光部とからなる光電式センサであってもよい。
【００２４】
５６は前記開口５５を開閉する可動部材としての開閉扉であり、該開閉扉５６の外側部分に幅方向に複数のパチンコ球が貫通し得る球通路３４を中空貫通状に形成して、遊技盤３面を流下するパチンコ球が球通路３４の流入口３７から流入して流出口３８から流出するようにしている。また、開閉扉５６の少なくとも前面側を透光性樹脂により形成して、球通路３４流下するパチンコ球を視認できるようにしている。そして、開閉扉５６を遊技盤３面と直交する面内で可動するように凹室２４の前端上部で軸支５８して、前記球通路３４の下端が前記開口５５から内方に入り得るように前後方向に回動自在に取着している。また、開閉扉５６の下面は前記軸５８を中心とした円弧面としている。なお、前記開閉扉５６は球通路３４を一体に形成しても別体に形成して一体的に組付けるようにしてもよい。
【００２５】
一方、前記箱枠５７の後面に前記開閉扉５６を回動させる電気的駆動源の一例としてのソレノイド２９が設けられ、該ソレノイド２９のプランジャ４６にレバー部材５９が装着されている。前記レバー部材５９にはコ字状の係合部６０が形成され、前記開閉扉５６の側方に設けた係合突起６１を係合させてソレノイド２９と開閉扉５６とを連繋して、ソレノイド２９の消励磁によって開閉扉５６を回動させるようにしている。
【００２６】
つまり、上記開閉扉５６は、図４に示すようにソレノイド２９が消磁して前記開口５５を閉塞してパチンコ球を受入れない第一状態と、図５に示すようにソレノイド２９が励磁して前記開口５５を開成してパチンコ球を受入れる第二状態とに変動する。具体的には、ソレノイド２９が消磁するとプランジャ４６がスプリング４５の付勢により下方に押し下げられて、それに伴い係合部６０に係合した係合突起６１が押し下げられて開閉扉５６を起立させる。そして、ソレノイド２９が励磁するとプランジャ４６がスプリング４５の付勢に抗して吸引され、レバー部材５９を引き上げ係合部６０に係合する係合突起６１を上動して開閉扉５６の下端が凹室２４内に入り込むように後方に回動させる。
【００２７】
次に上記構成の変動入賞装置１１を遊技盤３に設けたパチンコ遊技機について説明する。前記変動入賞装置１１は常態ではソレノイド２９が消磁した第一状態にあり、図４に示すように開閉扉５６は起立して開口５５を後面壁５６ａで閉成すると共に、球通路３４が開口５５の外側に位置して流入口３７を開放し遊技盤３面を流下するパチンコ球が球通路３４を通過可能状態としている。そして、球通路３４を貫通したパチンコ球は遊技領域３ａに向って再度放出される。また、変動入賞装置１１が上記第一状態のとき遊技盤３の遊技領域３ａに打ち込まれたパチンコ球が始動入賞口１５に入賞すると入賞球検出器１５ａにより検出されて、図示しない球払出装置から入賞球１個に相当する所定数（例えば５個）の賞球が打球供給皿５に払い出されると共に、可変表示装置２７の可変表示部２７ａに表示された数字，文字，図柄等がランダムに変動する。そして、所定時間経過すると可変表示部２７ａの変動が止まり、予め設定された数字，文字または図柄（例えば「７，７，７」等のゾロ目）で停止したことを条件にソレノイド２９が励磁して球入口２３が開放する第二状態である特定遊技状態となる。
【００２８】
前記特定遊技状態では、ソレノイド２９が励磁し、図５に示すように開閉扉５６の下端が凹室２４内に入り込むように後方に回動して開口５５を開成し流出口３８が前記特別入賞口３５および一般入賞口３６に臨む。そして、遊技盤３面を流下するパチンコ球が流入口３７から開閉扉５６の球通路３４に流入すると、開閉扉５６の傾斜により前面壁５６ｂで受けて開口５５から凹室２４に導かれ、特別入賞口３５または一般入賞口３６のいずれかに入賞し、図示しない球払出装置から入賞球１個に相当する所定数（例えば１５個）の賞球が打球供給皿５に払い出される。このことから入賞球はすべて球通路３４を経て入賞することになる。そして、開閉扉５６を一定時間経過するまでの間、または所定個数（例えば１０個）の入賞球を入賞球検出器３５ａ，３６ａが検出するまでの間開成し、前記入賞球検出器３５ａ，３６ａが所定個数（例えば１０個）の入賞球を検知すると、ソレノイド２９が消磁して開閉扉５６を復動して開口５５を閉成させる。さらに、特別入賞口３５に入賞し入賞球検出器３５ａで入賞球を検出したことを条件に、所定回数（例えば１５回）開閉扉５６を連続して開ける動作を繰り返す。
【００２９】
このとき、開閉扉５６の下端（球通路３４の流出口３８）が支軸５８中心に前方に押出されるように復動するため、図５鎖線のように復動しようとする開閉扉５６の小さな回動角で開閉扉５６が凹室２４から後退して後面壁５６ａが特別入賞口３５または一般入賞口３６の上方に臨むことになり、球通路３４内に流入したパチンコ球の入賞を不可能とする。このため、入賞球検出器３５ａ，３６ａで所定個数（例えば１０個）が検知された以降の後続のパチンコ球は例え球通路３４内に流入したとしても入賞球とならず流出口３８から遊技盤３面に放出されることになる。このことから所定個数以上の余分な入賞球が発生せず、ホールとして所定個数以上の余分な賞球を払出すことがなく負担となることはない。
【００３０】
また、開閉扉５６に遊技盤３面を流下するパチンコ球が貫通する球通路３４を形成し、開口５５の上部位置で軸支して流出口３８が開口５５から凹室２４に入り込むようにすることで、開閉扉５６が遊技盤３面を流下するパチンコ球の流れ方向に沿って傾動し、球入口２３を閉塞する際にも遊技盤３面を流下するパチンコ球を流入口３７で受けながら復動しようとする。このため開閉扉５６は、開口５５の開閉時に球噛みを起すことはなく、確実に球入口２３を開閉することができる。
【００３１】
図６乃至図８は、中空状に形成した球通路３４内を流下するパチンコ球の流下方向を規制または変化させる障害部材を設けるようにした実施の形態を示す。図６および図７に障害部材として可動する風車６３を示し、図８に固定的に設けられた山型状のガイド部材６４を示す。このように球通路３４内に障害部材６３，６４を設けることで、ただ単にパチンコ球が開閉扉５６に形成した球通路３４を流下するだけでなく、風車６３およびガイド部材６４によってパチンコ球の流下方向が変化する流下動作を楽しむことができる。また、図７鎖線に示すように上記障害部材６３，６４を設けた開閉扉５６が開口５５を開放する第二状態において、球通路３４内を流下するパチンコ球を上記障害部材６３，６４によって特別入賞口３５または一般入賞口３６へ振分けることができ、上記障害部材６３，６４を振分け手段とすることができる。そして、流出口３８が開口５５より内方に臨むことで、流出口３８を特別入賞口３５の直上に位置させることができ、球通路３４を流下し前記障害部材６３，６４で振分けられたパチンコ球を特別入賞口３５に入賞しやすくさせることができ、大当り時の確実な継続性が保証される。なお、前記障害部材６３，６４によって振分けられる流路下方に位置して始動入賞口１５等を設け、開口５５の閉塞時に遊技盤３面を流下するパチンコ球を前記障害部材６３，６４によって前記始動入賞口１５等へ優先的に誘導するようにしてもよい。
【００３２】
図９乃至図１３は変動入賞装置の他の実施の形態を示している。この実施の形態において変動入賞装置１１ａは所謂「羽根もの」であり、前記変動入賞装置１１と同じ構成要素には同一符号を付して説明する。この変動入賞装置１１ａは、図９および図１０に示すように遊技盤３の表面に取付ける取付基板２０を有し、該取付基板２０の前面側に突出部としての飾り部材２１および球受棚２２を突出して設けることによって周方向（図上左右両側）に球入口２３，２３を形成すると共に、前記球入口２３，２３を開閉する可動部材としての左右一対の翼片２８，２８を前記取付基板２０と平行な面内で左右方向に可動自在に設けている。また、図１０および図１１に示すように前記球入口２３，２３に連通して入賞領域としての凹室２４を形成しており、前記凹室２４の底壁に特別入賞口３５と一般入賞口３６とを開設して、前記特別入賞口３５および一般入賞口３６のそれぞれに入賞したパチンコ球を検出する入賞球検出器３５ａ，３６ａを設けている。さらに、図１２に示すように前記凹室２４の下方に棚部４１を介してパチンコ球が不規則に遊動する転動部４０が設けられており、該転動部４０は前記始動入賞口１５にむかって下傾する凹溝状の誘導部４０ａとパチンコ球が不規則に遊走する緩やかな円弧状の遊走部４０ｂとで構成されている。また、前記凹室２４の後方に前記可変表示装置２７が配設され、前記窓孔２５から可変表示装置２７の表示部２７ａを視認可能としている。
【００３３】
前記翼片２８，２８の各々は、図９および図１１に示すように内部を直径約１１ｍｍのパチンコ球が通過し得る球通路３４を断面ロ字型の中空貫通状に形成し、前記翼片２８は少なくとも前記球通路３４が視認できるように前面側を透光性樹脂により形成し、遊技盤３面を流下するパチンコ球が翼片２８に貫通状に形成された球通路３４の流入口３７から流入して流出口３８から流出するのが確認できるようにしている。また、翼片２８は後面のほぼ上端に支軸３０を設けており、前記球入口２３の上部開口端に位置して図１１に示すように前記取付基板２０の裏面に設けた円筒形の軸受３１に前記支軸３０を挿通して前記取付基板２０に回動自在に軸着され、図１１および図１３に示すように前記軸受３１の後端から臨んだ支軸３０にリンク部材３２を介装し、該リンク部材３２の軸ピン３２ａを電気的駆動源としてのソレノイド２９の作動体３３の係合長孔３３ａに遊挿することによりと連結して、前記ソレノイド２９の駆動により前記翼片２８，２８が可動するようにしている。なお、この実施の形態において翼片２８の流入口３７を球入口２３に向って傾斜状に開口して開口幅をパチンコ球の径より拡開してパチンコ球を受入れ易くしており、さらに球通路３４の外側壁２８ｂの一部を湾曲して流路形状を変形してパチンコ球が流下し易いようにしている。
【００３４】
上記構成からなる変動入賞装置１１ａは、前記翼片２８，２８の内側壁２８ａにより前記球入口２３，２３を閉塞してパチンコ球を受入れない第一状態と球入口２３を開放してパチンコ球を受入れる第二状態とに変化可能としている。そして、ソレノイド２９が消磁して翼片２８，２８が起立した常態では、前記球通路３４が球入口２３の外側に位置して流入口３７が開放し、流出口３８が棚部４１に向って開口位置している。そして、遊技盤３面を流下するパチンコ球が流入口３７から球通路３４に流入可能としている。また、遊技盤３の遊技領域３ａに打ち込まれたパチンコ球が翼片２８の流入口３７に流入すると、該パチンコ球は図９に示すように球通路３４を流下して流出口３８から棚部４１に流出し転動部４０に導かれる。転動部４０に導かれたパチンコ球は、遊走部４０ｂを左右に遊動し遊技盤３面に再度放出されるか誘導部４０ａに移動して該誘導部４０ａから始動入賞口１５に向って放出される。そして、始動入賞口１５に入賞すると球検出器１５ａにより検出されて、前記実施の形態と同様に可変表示装置２７の可変表示部２７ａの停止図柄が特定図柄で停止したことを条件にソレノイド２９が励磁して球入口２３が開放する第二状態である特定遊技状態となる。なお、転動部４０へは遊技盤３面側を流下するパチンコ球が障害釘１７等に跳ねて飛入することもある。
【００３５】
前記特定遊技状態では、前記変動入賞装置１１ａのソレノイド２９が励磁して、図１３に示すようにスプリング４５の付勢に抗してプランジャ４６が吸引され、それにともない作動体３３が上動してリンク部材３２を介して翼片２８，２８が図９鎖線および図１１鎖線に示すように、遊技盤３面を流下するパチンコ球を弾くことなく流れに沿って流出口３８が球入口２３，２３から内方に入り込むように傾動して球入口２３，２３を開成し、遊技盤３面を流下するパチンコ球が翼片２８，２８の流入口３７から外側壁２８ｂに受けられ捕捉されると球通路３４を通って球入口２３，２３から球受棚２２を介して凹室２４に導かれ一定時間経過するまでの間、または所定個数（例えば１０個）の入賞球を入賞球検出器３５ａ，３６ａが検出するまでの間開成し続け、特別入賞球検出器３５ａで入賞球を検出したことを条件に、所定回数（例えば１６回）翼片２８，２８を連続して可動して球入口２３，２３を開閉する動作を繰り返す。
【００３６】
このように、所定個数のパチンコ球が入賞し入賞球検出器３５ａ，３６ａで検知されると、翼片２８，２８が支軸３０を中心に側方に押出すように復動するため、復動しようとする翼片２８，２８の小さな回動角で凹室２４への入賞を不可能とし、例え球通路３４内に流入しても内側壁２８ａにより遊技盤３面に押出し、この実施の形態においても前記実施の形態と同様に所定個数以上の余分な入賞球が発生することがなく、球入口２３の開閉時に球噛みすることもない。また、流出口３８を球入口２３より内方に臨ませることで、翼片２８，２８内を流下したパチンコ球を特別入賞口３５に入賞しやすくさせることができ、大当り時の確実な継続性が保証される。
【００３７】
なお、上記実施の形態において１個のソレノイド２９により前記翼片２８，２８を可動するようにしたが、複数のソレノイド２９によりそれぞれの翼片２８，２８を可動するようにしてもよい。また、複数のソレノイドによりそれぞれの翼片２８，２８の回動角度を変化するようにしても、複数のソレノイドにより翼片２８，２８を二段階で回動角度を変化するようにしてもよい。
【００３８】
前記翼片２８の球通路３４をワープ通路の一部としてもよく、例えば前記変動入賞装置１１ａの飾り部材２１にワープ入口を形成すると共に該飾り部材２１内に前記ワープ入口に連通して左右に振分けるように通路部を形成する。そして、前記通路部の終端と前記翼片２８，２８の流入口３７とを合致してワープ入口に流入したパチンコ球が球通路３４内に流下可能とすればよい。このとき前記翼片２８，２８が球入口２３を閉鎖している第一状態において、ワープ入口に遊技盤３面を流下するパチンコ球が流入すると該パチンコ球は通路部を経由して流入口３７から翼片２８の球通路３４を通過し、流出口３８から棚部４１または遊技盤３面に放出される。一方、翼片２８，２８が球入口２３を開放している第二状態においては、ワープ入口から流入したパチンコ球は通路部の終端から翼片２８の流入口３７に受けられて球通路３４を流下して球入口２３に導かれ入賞領域の凹室２４に入賞する。
【００３９】
また、前記翼片２８の軸支３０位置は前記したように翼片２８の内側上端部を球入口２３の上部開口端に軸支３０することに限定されるものではなく、図１４に示すように翼片２８の外側上端部を球入口２３の上部高さ位置で軸支３０するようにしても何等問題はない。なお、図上翼片２８に貫通して設けられる球通路３４の流入口３７を流出口３８より拡開して形成しており、飾り部材２１にガイドされる分受入れやすくしている。さらに、図１５に示すように翼片２８のほぼ中央内側端を軸支３０するようにしてもよく、常には球通路３４の流入口３７を飾り部材２１等で閉塞しており、同図鎖線に示すように翼片２８が回動して球入口２３に流出口３８が入り込む時にのみ流入口３７を開放して球通路３４にパチンコ球が流入するようにしている。このとき、パチンコ球は図上遊技盤３面の障害釘１７に誘導されて球通路３４に流入しやすくしているが、別途誘導部材等により誘導するようにしてもよい。
【００４０】
なお、上記実施の形態において可動部材２８を可動する電気的駆動源をソレノイド２９としたがモータとしてもよい。このとき、図１７に示すように可動部材２８，２８の支軸３０には従動歯車５０ａ，５０ｂを固着して、一方の従動歯車５０ａは電気的駆動源としての正逆モータ５１の駆動軸５２に固着した駆動歯車５３と噛合するようにし、他方の従動歯車５０ｂは前記駆動歯車５３と同形状の中間歯車５４を介して駆動歯車５３と噛合連繋して、正逆モータ５１の駆動により同図矢印に示すように左右の翼片２８，２８が互いに同角度で逆回転するようにしている。
【００４１】
また、この実施の形態において翼片２８，２８は、図１６に示すように翼片２８，２８の上面流入口３７をほぼ４０°の傾斜面として傾斜下端部を軸支３０している。そして、前記実施の形態と同様に翼片２８，２８は球入口２３，２３を閉塞する第一状態と球入口２３を開放する第二状態とに変位するが、通常時翼片２８，２８は図１６（イ）に示すように球入口２３，２３を閉塞すると共に翼片２８の流入口３７も前記飾り部材２１によって閉塞された状態にある。
【００４２】
次に上記構成の変動入賞装置１１ａの作用について説明する。前記可変表示装置２７の表示が特定表示となったことを条件により正逆モータ５１が正転駆動すると駆動歯車５３，中間歯車５４，従動歯車５０ａ，５０ｂの噛合により翼片２８，２８が図１６（イ）鎖線に示すように左右に４０°程度回動して、飾り部材２１によって閉塞していた流入口３７が開放されパチンコ球が翼片２８，２８内に流入可能となり、流出口３８が球入口２３の内方に入り込み入賞可能な第二状態で停止する。この状態でパチンコ球が流入口３７で受けられて球通路３４を貫通すると、該パチンコ球は流出口３８から球受棚２２に放出されて凹室２４に導かれ、特別入賞口３５または一般入賞口３６に入賞する。さらに、正逆モータ５１が正転駆動すると、翼片２８，２８が図１６（ロ）に示すように約２０°拡開回動して翼片２８端と飾り部材２１との間口が広がりより流入口３７に受入れやすい状態で停止する。そして、球通路３４に受入れたパチンコ球が入賞領域２４に流入して所定個数または所定時間の条件のもと特定入賞口３５への入賞を条件に翼片２８，２８が正逆モータ５１の正逆駆動により所定時間または所定個数の入賞を１ラウンドとして所定ラウンド（例えば１５ラウンド）の開閉を繰り返す。なお、翼片２８，２８を図１６（ロ）鎖線に示す流入口３７が開放した状態から図１６（イ）実線位置に戻すことなく流入口３７をさらに開放する図１６（ロ）実線位置に直接変位することも可能である。
【００４３】
このように、電気的駆動源をモータ５１とすることで流入口３７に導く開口幅を多段階で調整してパチンコ球の流入度合を変化させることができる。また、前記流入口３７をパチンコ球が複数個流入可能な幅広に形成し翼片２８が球入口２３を閉鎖した第一状態で前記流入口３７の一部を飾り部材２１等で塞ぐようにして、第一状態でも球通路３４をパチンコ球が貫通するようにしてもよい。なお、翼片２８，２８が図１６（イ）実線および鎖線に示す位置と図１６（ロ）実線に示す位置とに正確に停止するようにフォトセンサにより回転位置を検知して制御するようにするのが好ましい。このとき前記従動歯車５０ａ，５０ｂ，駆動歯車５３，中間歯車５４のいずれかにフォトセンサの光源を通過させる透孔を穿設して前記歯車群５０ａ，５０ｂ，５３，５４自体を回転制御するフォトセンサの遮蔽板とするのがよい。なお、前記従動歯車５０ａ，５０ｂ，駆動歯車５３，中間歯車５４のいずれかにフォトセンサの光源を遮蔽する遮蔽突起を設けるようにしてもよい。
【００４４】
上記流入口３７の開口幅を多段階で調整する使用例として、ラウンド毎に変化させたり、例えば前記可変表示部２７ａの当り図柄が「普通図柄」のときは流入口３７に導く開口幅を狭めてパチンコ球が入賞し難くすることにより当り時間を長くして遊技者に「大当り」の充実感および優越感を長く感じさせるようにし、当り図柄が次の当りが確定となる「確変図柄」のときは流入口３７に導く開口幅を広くしてパチンコ球が入賞し易くすることにより所定ラウンドを早く終了させて当り時間を短くして遊技者に確定となった次の当りを目指して早く遊技をさせることができる。
【００４５】
また、上記説明した変動入賞装置１１ａは、前記可変表示装置２７の特定表示により可動するようにしたが、上記使用状態に限定されることなく、例えば遊技盤３に前記変動入賞装置１１ａの翼片２８，２８を可動させる始動入賞口１５を設け、該始動入賞口１５に入賞すると翼片２８，２８がそれぞれ所定回数（２回または１回）開閉して球入口２３を開放するようにしてもよい。そして、その翼片２８，２８の開放時に球通路３４に流入して入賞領域２４に導かれ、タイミングよく特別入賞口３５に入賞して入賞球検出器３５ａで検知されると「当たり」となり、翼片２８，２８を可動して球入口２３の開閉を所定ラウンド繰り返し継続することができる。
【００４６】
なお、これまで記した実施の形態において可動部材としての翼片２８を一対のものとして説明したが、必ずしも一対である必要はなく一方の翼片２８のみで球入口２３を開閉するようにしてもよいのはいうまでもない。
【００４７】
また、前記翼片２８は少なくとも前面側を透光性樹脂により形成するようにしたが、翼片２８を不透光性樹脂により形成して球通路３４を通過するパチンコ球を視認できなくして、流出口３８から再度出現するタイミングに意外性を付加するようにしてもよい。また、翼片２８は前面または後面が開放した断面コ字状としてもよく、開放側を前記取付基板２０またはガラス扉枠４のガラス等の透明板で閉塞し、球通路３４をパチンコ球が貫通するようにすればよい。なお、表示装置２７の側壁または周辺の盤面部品等の一部を利用することにより翼片２８の一部をＬ字型としてもよい。
【００４８】
さらに、翼片２８を流入口３７および流出口３８が同一周面内となるようにパチンコ球が通過可能な中空貫通状に形成して、遊技盤３面を流下するパチンコ球を流入口３７で受入れて流出口３８から同一周面内の遊技盤３面に放出するようにしたが、流出口３８を遊技盤３面側に開口するようにしてもよい。このようにすることで、球入口２３を開放する第二位置で球受棚２２を介すことなく凹室２４に向って入球させることができる。このとき、球入口２３を閉塞する第一位置では球通路３４にパチンコ球を受け入れないようにするのがよい。また、翼片２８が球入口２３を閉塞する第一位置で取付基板２０および遊技盤３に前記流出口３８に合致する入賞球口を開設するようにしてもよい。球入口２３を閉塞する第一位置で翼片２８を入賞口とすることができる。好ましくは、球入口２３を開放する第二位置では、翼片２８の回動と共に可動する閉鎖板で前記入賞球口を閉塞するのがよい。また、前記入賞球口から前記転動部４０に導くようにしてもよく、入賞球口を介して転動部４０に導くことにより、棚部４１を設ける必要がなくコンパクトにすることができる。
【００４９】
図１８は可動部材の他の実施の形態を示し、この実施の形態において可動部材は屈曲自在なパイプ６６として弾性線材を螺旋状に巻いて蛇腹状とし、内部をパチンコ球が貫通可能な球通路３４となるように形成されている。また、飾り部材２１は、「象」を模した図柄形状に形成されており、内部をパチンコ球が通過し得る通路部２１ａとなるように中空状に形成されている。そして、前記パイプ６６が恰も象の鼻となるように該パイプ６６の一端である流入口３７を飾り部材２１に固着して前記通路部２１ａと球通路３４が連通するようにしている。一方、前記パイプ６６の他端は後方に軸支ピン６７が設けられ、該軸支ピン６７を取付基板２０に穿設した円弧長孔６８に遊嵌して電気的駆動源としてのロータリーソレノイド６９にリンク片７０を介して固着して、該ロータリーソレノイド６９の駆動により前記円弧長孔６８間で回動自在としている。なお、前記パイプ６６を構成する弾性線材は金属であっても合成樹脂であってもよい。
【００５０】
そして、球入口２３をパイプ６６で閉鎖している常態では、図１８（イ）に示すように遊技盤３面を流下するパチンコ球を飾り部材２１で受けて、該パチンコ球を通路部２１ａを介して象の鼻に模したパイプ６６の球通路３４を貫通してほぼ直下の遊技盤３面に放出する。また、特別遊技状態等の所定条件により前記ロータリーソレノイド６９が励磁すると、図１８（ロ）に示すように飾り部材２１との接続部（流入口３７部）が支点となって前記軸支ピン６７が円弧長孔６８を約６０°回動して、流出口３８が球入口２３に臨むようにパイプ６６が屈曲し、飾り部材２１で受けたパチンコ球をパイプ６６の球通路３４を介して入賞球とすることができる。このときパイプ６６が屈曲して線材間に隙間が空いても、当然のことながら該隙間は球零れ等を起すことがなくパチンコ球の流下に問題のない隙間であり、確実に入賞領域２４に導くことができる。
【００５１】
また、前記電気的駆動源をロータリーソレノイド６９に替えて正逆モータとしてもよい。正逆モータを用いることで流出口３８を球入口２３と反対側（図上右側）に振ることもでき、例えば常時または所定条件により流出口３８が球入口２３に入り込まないように往復動させて、前記飾り部材２１で受けたパチンコ球を不規則に放出させることによりパチンコ球の動きに大きな変化をもたせることができ、遊技者に遊技盤を流下する遊技球を視覚的に追いかけながら楽しませることができる。なお、前記飾り部材２１との接続部（流入口３７部）を支点とすることなくパイプ６６の後面を別途軸支固定するようにしてもよい。
【００５２】
このように、本実施の形態における可動部材６６は、象の鼻に模した形状となっているので、可動部材６６が可動する度に象が鼻を動かすように見え、飾り部材２１の図柄形状と相俟って球通路３４を貫通するパチンコ球が、恰も象の鼻から放出されるが如く見える。このため装飾効果を発揮すると共に遊技者に興趣を持たせることができる。また、この実施の形態において可動部材６６を象の鼻に模したが他のものに模してもよく、例えば可動部材６６を「尻尾」，「箒」，「ホース」等に見立てて、流出口３８が球入口２３に入り込むように「尻尾」を振ったり，「箒」で掃いたり，「ホース」で水を撒くようにすればよい。これは本発明の成せる技である。
【００５３】
これまで説明した実施の形態において、翼片２８，パイプ６６に１個のパチンコ球が通過可能な球通路３４を中空貫通状に形成するようにしたが、その形状に限定されるものではなく複数個のパチンコ球が通過できるようにしても、流入口３７をパチンコ球が受入れやすいように漏斗状に拡開するように形成してもよい。さらに、翼片２８内でのパチンコ球の流下動作を興趣あるものとするために、翼片２８内面に突起を設けたり屈曲させたりしてパチンコ球の流下態様が変化するようにしてもよい。
【００５４】
前記球通路３４は、球入口２３，５５から内方に入り得る流出口３８部に少なくとも可動部材２８，５６の回動方向の側壁を有すればよく、常態では可動部材２８，５６で球入口２３，５５を閉塞し、可動部材２８，５６の回動時に前記回動方向の側壁によりガイドされて球通路３４を流下するパチンコ球を入賞領域２４に導いたり、球通路３４を流下して入賞しようとするパチンコ球を入賞させることなく遊技盤３面に放出したりして、余分な入賞球の発生を阻止することができる。
【００５５】
なお、上記実施の形態において、変動入賞装置１１ａに可変表示装置２７を備えるようにしたが、必ずしも一体に設けることはなく別体に設けるようにしてもよい。また、可動部材２８の下方に位置する転動部４０も必ず設けなければならないものではない。
【００５６】
【発明の効果】
上記したように、球入口を開閉する可動部材にパチンコ球が通過可能な球通路を貫通状に形成し、該球通路の流出口が球入口の内方に傾動するように軸支したので、球入口の開閉時に球詰りをおこすことがなく確実に入賞させることができる。また、球入口の閉塞時に入賞領域から出て行くように可動するため、所定個数以上の入球をさせることがない。
【００５７】
さらに、可動部材内をパチンコ球を通過するようにしたことでパチンコ球の動きに大きな変化をもたらすことになり単に球入口を閉塞するのみではなく、可動部材によって誘導されるパチンコ球の遊動を楽しむ従来にない変動入賞装置とすることができ、遊技が興趣に富む。特にパチンコ遊技は遊技者が遊技盤を流下する遊技球を視覚的に追いかけながら楽しむものであるから、パチンコ球の動きに大きな変化をもたせることは、遊技者の興趣を強く惹きつけることができ、遊技の興趣を高める上で極めて重要な効果を奏し、遊技者は遊技の面白味を充分満喫することができる。
【図面の簡単な説明】
【図１】パチンコ遊技機の正面図である。
【図２】変動入賞装置の斜視図である。
【図３】図２の正面図である。
【図４】図２の側断面図である。
【図５】図４の作用図である。
【図６】他の実施の形態の変動入賞装置の正面図である。
【図７】図６の側断面図である。
【図８】他の実施の形態の変動入賞装置の正面断面図である。
【図９】他の実施の形態の変動入賞装置の正面図である。
【図１０】図９の側断面図である。
【図１１】入賞領域部分の平断面図である。
【図１２】転動部分の平断面図である。
【図１３】図９の裏面図である。
【図１４】他の実施の形態の変動入賞装置の要部正面図である。
【図１５】さらに他の実施の形態の変動入賞装置の要部正面図である。
【図１６】（イ），（ロ）は他の実施の形態の変動入賞装置の正面図である。
【図１７】図１６の裏面図である。
【図１８】（イ），（ロ）は他の実施の形態の変動入賞装置の要部作用説明図である。
【図１９】（イ），（ロ）は従来の変動入賞装置の作用説明図である。
【符号の説明】
３                  遊技盤
１１，１１ａ        変動入賞装置
２１                飾り部材
２２                球受棚
２３                球入口
２４                凹室（入賞領域）
２７                可変表示装置
２８，２８          翼片（可動部材）
２９                ソレノイド（電気的駆動源）
３０                支軸
３４                球通路
３５ａ，３６ａ      入賞球検出器（球計数センサ）
３７                流入口
３８                流出口
４０                転動部
４０ａ              誘導部
４０ｂ              遊走部
５１                正逆モータ（電気的駆動源）
５５                開口（球入口）
５６                開閉扉（可動部材）
５８                軸
６３                風車（障害部材）
６４                ガイド部材（障害部材）
６６                パイプ（可動部材）
６７                軸支ピン
６９                ロータリーソレノイド（電気的駆動源）
【図１】
0004147034.tif 000002
【図２】
0004147034.tif 000003
【図３】
0004147034.tif 000004
【図４】
0004147034.tif 000005
【図５】
0004147034.tif 000006
【図６】
0004147034.tif 000007
【図７】
0004147034.tif 000008
【図８】
0004147034.tif 000009
【図９】
0004147034.tif 000010
【図１０】
0004147034.tif 000011
【図１１】
0004147034.tif 000012
【図１２】
0004147034.tif 000013
【図１３】
0004147034.tif 000014
【図１４】
0004147034.tif 000015
【図１５】
0004147034.tif 000016
【図１６】
0004147034.tif 000017
【図１７】
0004147034.tif 000018
【図１８】
0004147034.tif 000019
【図１９】
0004147034.tif 000020